(57)【要約】【課題】  耐衝撃性を向上させ、且つ電磁波の光ディスク装置本体上面からの輻射を減少させることができる光ディスク装置を提供する。【解決手段】  筐体３０の内底面３０ａに対して平行となるように形成され、筐体３０側に取り付けられる筐体側取付部４２ａと、筐体側取付部４２ａの光ディスク装置本体２０側の端部から起立し、光ディスク装置本体２０の側面２０ｃに対して平行となるように形成され、光ディスク装置本体２０の側面２０ｃに取り付けられる装置側取付部４２ｂと、装置側取付部４２ｂの上端から光ディスク装置本体２０側へ延出し、光ディスク装置本体２０の上面２０ｄに対して平行となるように形成され、光ディスク装置本体２０ｄの上面を保持する上面保持部４２ｃとを有する金属製の取付具４２によって、光ディスク装置本体２０が筐体３０内部に取り付けられる。【選択図】        図１
2006309878.tif 000002
【特許請求の範囲】
【請求項１】
光ディスク装置本体が筐体内部に取り付られて構成される光ディスク装置において、
筐体側に取り付けられる筐体側取付部と、
該筐体側取付部の光ディスク装置本体側の端部から起立し、前記光ディスク装置本体の側面に対して平行となるように形成され、該光ディスク装置本体の側面に取り付けられる装置側取付部と、
該装置側取付部の上端から前記光ディスク装置本体側へ延出し、前記光ディスク装置本体の上面に対して平行となるように形成され、前記光ディスク装置本体の上面を保持する上面保持部とを有する金属製の取付具によって、前記光ディスク装置本体が前記筐体内部に取り付けられることを特徴とする光ディスク装置。
【請求項２】
前記取付具は、前記光ディスク装置本体の背面側に当接して背面方向への位置決めを行なう背面保持部を有することを特徴とする請求項１記載の光ディスク装置。
【発明の詳細な説明】
【技術分野】
【０００１】
本発明は、光ディスク装置本体を筐体内に取り付けることによって構成される光ディスク装置に関する。
【背景技術】
【０００２】
ＣＤ、ＤＶＤ等の光ディスクをドライブする光ディスク装置においては、実際に光ディスクをドライブする機能を有する光ディスク装置本体が筐体の内部に取り付けられて構成されていることが一般的である。
【０００３】
図８に、従来の光ディスク装置本体の筐体への取付構造を示す。
光ディスク装置本体２０は、取付具１９によって筐体１０に取り付けられる。
取付具１９は、水平面部１９ａと垂直面部１９ｂとからなるＬ字状に形成されているものである。取付具１９の水平面部１９ａと垂直面部１９ｂのそれぞれにはネジ穴（図示せず）が形成されている。水平面部１９ａは筐体１０内部の底面１０ａにネジ等（図示せず）によって取り付けられ、垂直面部１９ｂは光ディスク装置本体２０の側面にネジ等によって取り付けられる。
このように、光ディスク装置本体２０は、その側面が取付具１９を介して筐体１０内部の底面１０ａに取り付けられることにより、筐体１０に固定される（例えば、特許文献１参照）。
【０００４】
【特許文献１】特開２００４−２３４７４０号公報（図２等）
【発明の開示】
【発明が解決しようとする課題】
【０００５】
従来のような取付構造では、光ディスク装置本体の上面に何らかの力（図８の矢印）が加えられた場合には、光ディスク装置本体の上面または底面を保持する機構が存在しないため、光ディスク装置が撓んでしまうことを防止することができず、衝撃に対して脆弱であるという課題があった。
【０００６】
また、光ディスク装置本体について、光ディスク装置本体の全体から輻射される電磁波については、電磁環境適合性（ＥＭＣ）をクリアできるような対策が施されているが、特に光ディスク装置本体の上面から輻射される電磁波については何らの対策も採られておらず何らかの対策を施して、さらに電磁波の輻射量を減少させるべきであるという課題もあった。
【０００７】
そこで、本発明は上記課題を解決すべくなされ、その目的とするところは、耐衝撃性を向上させ、且つ電磁波の光ディスク装置本体上面からの輻射を減少させることができる光ディスク装置を提供することにある。
【課題を解決するための手段】
【０００８】
本発明にかかる光ディスク装置によれば、光ディスク装置本体が筐体内部に取り付られて構成される光ディスク装置において、筐体側に取り付けられる筐体側取付部と、該筐体側取付部の光ディスク装置本体側の端部から起立し、前記光ディスク装置本体の側面に対して平行となるように形成され、該光ディスク装置本体の側面に取り付けられる装置側取付部と、該装置側取付部の上端から前記光ディスク装置本体側へ延出し、前記光ディスク装置本体の上面に対して平行となるように形成され、前記光ディスク装置本体の上面を保持する上面保持部とを有する金属製の取付具によって、前記光ディスク装置本体が前記筐体内部に取り付けられることを特徴としている。
この構成を採用することによって、光ディスク装置本体の上面を保持する上面保持部によって、上面方向からかかる力に対して光ディスク装置本体が強度を維持することができ、耐衝撃性を高めることができる。
さらに、光ディスク装置本体の上面から輻射される電磁波は、特に上面の角から強く輻射されるが、このような取付具を光ディスク装置本体に取り付けることによって、光ディスク装置本体の上面の角が金属製の取付具により覆われてシールド効果を発揮することで、上面の角から輻射される電磁波を低減させることができる。
【０００９】
また、前記取付具には、前記光ディスク装置本体の背面側に当接して背面方向への位置決めを行なう背面保持部を有することを特徴としてもよい。
この構成によれば、背面保持部を光ディスク装置本体の背面に押し当てることで背面方向の位置決めが容易にできる。
【発明の効果】
【００１０】
本発明の光ディスク装置によれば、耐衝撃性を高くすることができると共に、電磁波の輻射量をも低減することができる。
【発明を実施するための最良の形態】
【００１１】
（実施例）
図１に光ディスク装置本体を筐体の底面に取り付ける際の組み立て図を示し、図２に光ディスク装置本体を取付具に取り付けたところを示している。ただし、筐体については図１において筐体の内底面だけを簡略化して図示している。
ここに図示している光ディスク装置本体２０は、前面２０ａに光ディスク２１を出し入れするための突出入口２２が形成されているものである。
また、光ディスク装置本体２０の一方側の側面２０ｂは、光ディスク２１が配置される上方の部位だけが外方に突出する突出部２０ｅが形成されている。
【００１２】
図３〜図６に、取付具について示す。
光ディスク装置本体２０は、金属製の取付具３６を介して筐体３０の内底面３０ａに取り付けられる。
金属製の取付具３６は、光ディスク装置本体２０を載置するように形成された第１取付具４０と、光ディスク装置本体２０の上面に当接する上面保持部４２ｃを有する第２取付具４２とを有している。
【００１３】
第１取付具４０には、光ディスク装置本体２０を載置する水平方向に延びる載置部４０ａと、載置部４０ａが筐体３０の内底面３０ａから所定の間隔を空けて配置させるように載置部４０ａから下方に延びるように設けられた複数の脚部４０ｂとが形成されている。
各脚部４０ｂの先端にはネジ穴４３が形成されており、図示しないネジによって筐体３０の内底面３０ａに取り付けられる。
このように、筐体３０の内底面３０ａと載置部４０ａとの間に隙間を設けたことで、ここに制御用のプリント基板等を配置することが可能となる。
【００１４】
載置部４０ａには、光ディスク装置本体２０の一方側の側面２０ｂをネジ等によって第１取付具４０に取り付けるために、載置部４０ａを切り起こして形成した側面取付部４０ｃが設けられている。
載置部４０ａの側面取付部４０ｃを形成した位置と対向する位置に、第２取付具４２が取り付けられ、光ディスク装置本体２０の他方側の側面２０ｃが保持される。
【００１５】
続いて、図３〜図６に基づいて第２取付具４２について説明する。図３は第２取付具４２の平面図、図４は第２取付具４２の側面図、図５は第２取付具４２の正面図である。
第２取付具４２は、第１取付具４０の載置部４０ａに取り付けられる筐体側取付部４２ａと、光ディスク装置本体２０の他方側の側面２０ｃに取り付けられる装置側取付部４２ｂと、光ディスク装置本体２０の上面２０ｄを保持する上面保持部４２ｃとが形成されている。
また、装置側取付部４２ｂの背面側の端部には、光ディスク装置本体２０の背面２０ｆを保持する背面保持部４２ｄが形成されている。
【００１６】
筐体側取付部４２ａは第１取付具４０の載置部４０ａと平行に形成されており、載置部４０ａに対して図示しないネジ等によって取り付けられる。
また、装置側取付部４２ｂは筐体側取付部４２ａの光ディスク装置本体２０側の端部から起立して光ディスク装置本体２０の他方側の側面２０ｃと平行に形成されている。装置側取付部４２ｂは、図示しないネジ等によって光ディスク装置本体２０の他方側の側面２０ｃに取付けられる。
【００１７】
上面保持部４２ｃは、装置側取付部４２ｂの上端部から光ディスク装置本体２０側に向けて延出して、光ディスク装置本体２０の上面２０ｄと平行に形成されている。本実施例における光ディスク装置本体２０の上面２０ｄにはネジ穴等を形成することができないので、上面保持部４２ｃは光ディスク装置本体２０の上面２０ｄに当接して保持するだけであり、何らかの固着手段は設けられていない。
【００１８】
また、上面保持部４２ｃは装置側取付部４２ｂの上端部を折り曲げるようにして形成しているが、折り曲げ部分については直角に折り曲げるのではなく、図７に示すように、外方に向けて突出するようなコーナー部５０を設けて折り曲げるようにすると好適である。
すなわち、単に直角となるように折り曲げた場合には、素材となる金属の弾性によって上面保持部４２ｃが光ディスク装置本体２０の上面２０ｄとは平行とならないように変形してくるおそれもある。しかし、このように外方に突出するコーナー部５０を形成して折り曲げることで、上面保持部４２ｃは常に光ディスク装置本体２０の上面２０ｄと平行に位置するように保たれる。
【００１９】
なお、本実施例における第２取付具４２は、１枚の金属板を加工して筐体側取付部４２ａ、装置側取付部４２ｂ、上面保持部４２ｃおよび背面保持部４２ｄを形成しているので、各折り曲げ部分については上述したような外方に向けて突出するようなコーナー部を設けることで、それぞれの部位が取り付ける箇所または当接させる箇所に対して常に平行な状態を維持することができる。
【００２０】
背面保持部４２ｄは、装置側取付部４２ｂの背面側端部から光ディスク装置本体２０側に延出するように形成され、光ディスク装置本体２０の背面２０ｆに当接する。背面保持部４２ｄを光ディスク装置本体２０の背面２０ｆに当接させることで、第２取付具４２の背面方向への位置決めがなされる。
【００２１】
なお、上述してきた実施例では、光ディスク装置本体２０の一方側の側面２０ｂの上部が突出して段差が形成されているので、上面保持部４２ｃが形成されている第２取付具４２を用いて一方側の側面２０ｂを筐体３０に取り付けることができない。したがって、本実施例では他方側の側面２０ｃだけを上面保持部４２ｃが形成された第２取付具４２で筐体３０に取り付けるようにしている。
しかし、両側面がそれぞれ突起がない平板状に形成されている光ディスク装置本体を筐体に取り付ける場合には、両側面を上面保持部が形成された第２取付具を用いて筐体に取り付けるようにするとよい。
【００２２】
また、上述した実施例においては、第２取付具４２の筐体側取付部４２ａは、第１取付具４０の載置部４０ａに取り付けられる構成を採用していた。
しかし、第２取付具４２の筐体側取付部４２ａは、筐体３０の内底面３０ａに直接取り付けるように構成してもよい。
【００２３】
以上本発明につき好適な実施例を挙げて種々説明したが、本発明はこの実施例に限定されるものではなく、発明の精神を逸脱しない範囲内で多くの改変を施し得るのはもちろんである。
【図面の簡単な説明】
【００２４】
【図１】本発明に光ディスク装置の組み立て図である。
【図２】光ディスク装置本体を取付具に取付けたところを示す説明図である。
【図３】取付具の斜視図である。
【図４】第２取付具の平面図である。
【図５】第２取付具の側面図である。
【図６】第２取付具の正面図である。
【図７】上面保持部の折り曲げ部分の構造を示す説明図である。
【図８】従来の光ディスク装置本体の筐体への取付構造について示す説明図である。
【符号の説明】
【００２５】
２０   光ディスク装置本体
２０ａ 光ディスク装置本体の前面
２０ｂ 光ディスク装置本体の一方側の側面
２０ｃ 光ディスク装置本体の他方側の側面
２０ｄ 光ディスク装置本体の上面
２０ｅ 光ディスク装置本体の突出部
２０ｆ 光ディスク装置本体の背面
２１   光ディスク
２２   突出入口
３０   筐体
３０ａ 筐体の内底面
３６   取付具
４０   第１取付具
４０ａ 第１取付具の載置部
４０ｂ 第１取付具の脚部
４０ｃ 第１取付具の側面取付部
４２   第２取付具
４２ａ 第２取付具の筐体側取付部
４２ｂ 第２取付具の装置側取付部
４２ｃ 第２取付具の上面保持部
４２ｄ 第２取付具の背面保持部
４３   ネジ穴
５０   コーナー部
【図１】
2006309878.tif 000003
【図２】
2006309878.tif 000004
【図３】
2006309878.tif 000005
【図４】
2006309878.tif 000006
【図５】
2006309878.tif 000007
【図６】
2006309878.tif 000008
【図７】
2006309878.tif 000009
【図８】
2006309878.tif 000010